(57)【要約】  【課題】  建物の建築後に天井面に配設するのが容易な引掛ローゼットを提供する。  【解決手段】  天井面１に設置されるフラットケーブル２と、このフラットケーブル２の端部に固定される絶縁体３と、前記フラットケーブル２と電気接続された状態で前記絶縁体３の下部に導出される端子４と、前記絶縁体３の外縁部に回転不可能に係合される略Ｕ状の固定板５(金属製)と、この固定板５の下面に配置され外縁部に引掛部６を設けた引掛金具７と、この引掛金具７に形成した円弧孔８と前記固定板５に形成した孔９に通されて前記天井面１に固定されるねじ１０と、前記引掛金具７の下面に固定され前記端子４が接続される導電体１１を保持した絶縁座１２と、前記導電体１１に接続可能とした接続孔１３が形成されつつ前記絶縁座１２の下面を覆うとともに、前記引掛部６を露出しつつ前記引掛金具７に固定される絶縁カバー１４とを備え、前記引掛金具７の前記固定板５に対する設置角度を前記円弧孔８の範囲で調整可能とした引掛ローゼットである。【選択図】  図１
2005038699.tif 000002
【特許請求の範囲】
【請求項１】
天井面に設置されるフラットケーブルと、このフラットケーブルの端部に固定される絶縁体と、前記フラットケーブルと電気接続された状態で前記絶縁体の下部に導出される端子と、前記絶縁体の外縁部に回転不可能に係合される略Ｕ状の固定板と、この固定板の下面に配置され外縁部に引掛部を設けた引掛金具と、この引掛金具に形成した円弧孔と前記固定板に形成した孔に通されて前記天井面に固定されるねじと、前記引掛金具の下面に固定され前記端子が接続される導電体を保持した絶縁座と、前記導電体に接続可能とした接続孔が形成されつつ前記絶縁座の下面を覆うとともに、前記引掛部を露出しつつ前記引掛金具に固定される絶縁カバーとを備え、前記引掛金具の前記固定板に対する設置角度を前記円弧孔の範囲で調整可能とした引掛ローゼット。
【請求項２】
請求項１において、絶縁体の外縁部に設けた凸部が固定板の内縁部に設けた凹部に係合された引掛ローゼット。
【発明の詳細な説明】
【技術分野】
【０００１】
本発明は、天井面に設置され照明器具に給電可能とした引掛ローゼット(引掛シーリングローゼット)に関する。
【背景技術】
【０００２】
引掛ローゼットに接続される電源線は建物の建築時にあらかじめ天井内部に配設され天井面の孔から導出されていることが多い。しかし、そうでない場合には、建築後に建物の天井面をくりぬいて、電源線を導出しなければならず、相当な手間を要する。
【発明の開示】
【発明が解決しようとする課題】
【０００３】
本発明はこのような解決すべき課題を鑑み、建物の建築後に天井面に配設するのが容易な引掛ローゼットを提供することを目的とする。
【課題を解決するための手段】
【０００４】
本発明を要約すると、天井面に設置されるフラットケーブルと、このフラットケーブルの端部に固定される絶縁体と、前記フラットケーブルと電気接続された状態で前記絶縁体の下部に導出される端子と、前記絶縁体の外縁部に回転不可能に係合される略Ｕ状の固定板と、この固定板の下面に配置され外縁部に引掛部を設けた引掛金具と、この引掛金具に形成した円弧孔と前記固定板に形成した孔に通されて前記天井面に固定されるねじと、前記引掛金具の下面に固定され前記端子が接続される導電体を保持した絶縁座と、前記導電体に接続可能とした接続孔が形成されつつ前記絶縁座の下面を覆うとともに、前記引掛部を露出しつつ前記引掛金具に固定される絶縁カバーとを備え、前記引掛金具の前記固定板に対する設置角度を前記円弧孔の範囲で調整可能とした引掛ローゼットである。また、絶縁体の外縁部に設けた凸部が固定板の内縁部に設けた凹部に係合されていると好ましい。
【発明の効果】
【０００５】
本発明によれば、建物の建築後に天井面に電源線を通す孔をくりぬくことなく、容易に引掛ローゼットを配設できるとともに、その引掛金具の方向も容易に調整できるという効果を奏する。さらに、絶縁体が固定板と係合しているため、絶縁体から延びるフラットケーブルが固定板に干渉せず、フラットケーブルが傷つくおそれがない。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、天井面１に設置されるフラットケーブル２と、このフラットケーブル２の端部に固定される絶縁体３と、前記フラットケーブル２と電気接続された状態で前記絶縁体３の下部に導出される端子４と、前記絶縁体３の外縁部に回転不可能に係合される略Ｕ状の固定板５(金属製)と、この固定板５の下面に配置され外縁部に引掛部６を設けた引掛金具７と、この引掛金具７に形成した円弧孔８と前記固定板５に形成した孔９に通されて前記天井面１に固定されるねじ１０と、前記引掛金具７の下面に固定され前記端子４が接続される導電体１１を保持した絶縁座１２と、前記導電体１１に接続可能とした接続孔１３が形成されつつ前記絶縁座１２の下面を覆うとともに、前記引掛部６を露出しつつ前記引掛金具７に固定される絶縁カバー１４とを備え、前記引掛金具７の前記固定板５に対する設置角度を前記円弧孔８の範囲で調整可能とした引掛ローゼットである。また、絶縁体３の外縁部に設けた凸部１５が固定板５の内縁部に設けた凹部１６に係合されていると好ましい。
【０００８】
さらに詳述すれば、絶縁被膜を有するフラットケーブル２は天井面１に図外の絶縁テープなどで貼り付けられると好ましい。絶縁体３は上下に分割された絶縁カバー体同士をビスなどで結合したものを例示してあり、絶縁体３の内部でフラットケーブル２と接続した電線１７を介して、端子４を導出している。引掛部６は図外の照明器具を取りつける取付金具を引っ掛けて使用する場合などに用いる。引掛金具７と絶縁座１２とは例えばビス１８で固定される。引掛金具７と絶縁カバー１４とは例えばビス１９で固定される。
【０００９】
次に、この引掛ローゼットの設置手順を述べる。まず、フラットケーブル２、絶縁体３、固定板５、引掛金具７、絶縁座１２を組み付けた状態(図３参照)で、ビス１０を円弧孔８と孔９に通して天井面１に螺合して締め付けて行く。そして、完全に締め付ける前に、引掛金具７の方向を円弧孔８の範囲で回転調整(図３の両矢印方向)して、引掛部６、６の方向が部屋の壁に平行(または直角)になるようにしてから、さらに締め付ける。次に、フラットケーブル２を天井面１に絶縁粘着テープなどで貼り付け固定する。次に、絶縁カバー１４を引掛金具７にビス１９で固定して完了となる。図示しない照明器具の引掛プラグは接続孔１３から挿入回転して導電体１１に接続するものである。
【００１０】
本実施形態による引掛ローゼットは、建物の建築後に、天井面１に電源線を通す孔をくりぬくことなく、容易に配設できるとともに、その引掛金具７の方向も容易に調整できる。さらに、絶縁体３が固定板５と係合しているため、絶縁体３から延びるフラットケーブル２が固定板５に干渉せず、フラットケーブル２が傷つくおそれがない。
【図面の簡単な説明】
【００１１】
【図１】本発明の実施形態を示す分解斜視図
【図２】同部分組立斜視図
【図３】同組立中の斜視図
【図４】同組立斜視図
【図５】同組立上面斜視図
【図６】同組立断面図
【図７】図６とは切断方向が直交する組立断面図
【符号の説明】
【００１２】
１  天井面
２  フラットケーブル
３  絶縁体
４  端子
５  固定板
６  引掛部
７  引掛金具
８  円弧孔
９  孔
１０  ねじ
１１  導電体
１２  絶縁座
１３  接続孔
１４  絶縁カバー
１５  凸部
１６  凹部
【図１】
2005038699.tif 000003
【図２】
2005038699.tif 000004
【図３】
2005038699.tif 000005
【図４】
2005038699.tif 000006
【図５】
2005038699.tif 000007
【図６】
2005038699.tif 000008
【図７】
2005038699.tif 000009